(57)【要約】      （修正有）【課題】便器本体の取付位置を広い範囲で変更することができる便器排水接続具を提供する。【解決手段】便器排水接続具は、トイレルームの床面に既設された床フランジ部材７０に取り付けられる。便器排水接続具は、便器本体の排出口に接続される第１流入口、横向きに開口する第１流出口、及び第１流入口と第１流出口とを連通する第１連通路を有したソケット部と、横向きに開口する第２流入口３１、床フランジ部材７０の開口部７１に向けて開口する第２流出口３３、第２流入口３１と第２流出口３３とを連通する第２連通路３５、第２流出口３３の周囲であって、第２流入口３１が開口している方向を除いて円弧状に延びて開口したスリット開口部４１、及び第２流入口３１が開口している方向であって、スリット開口部４１と同一円周上に設けられ、床フランジ部材７０の係止孔７３に係止する係止部４３を有した排水接続部３０とを備えている。【選択図】図５
2015187349.tif 000002
【特許請求の範囲】
【請求項１】
トイレルームの床面に既設されており、前記床面で上下方向に開口した排水管の流入口に接続した開口部と、
下方から挿通したねじ部材の頭部を係止して立設させることができ、前記開口部と同心円上であって、この開口部の中心を対称にした位置に貫設された一対の係止孔と
を有した床フランジ部材を利用して取り付けることができ、
便器本体の排出口と前記排水管の流入口とを連通する便器排水接続具であって、
前記床面に取り付けた状態で、前記便器本体の前記排出口に接続される第１流入口、横向きに開口する第１流出口、及び前記第１流入口と前記第１流出口とを連通する第１連通路を有したソケット部と、
前記ねじ部材によって前記床フランジ部材に取り付けた取付状態で、横向きに開口し、前記第１流出口に連通する第２流入口、前記床フランジ部材の前記開口部に向けて開口する第２流出口、前記第２流入口と前記第２流出口とを連通する第２連通路、前記第２流出口の周囲であって、前記第２流入口が開口している方向を除いて円弧状に延びて開口しており、前記ねじ部材が挿通するスリット開口部、及び前記第２流入口が開口している方向であって、前記スリット開口部と同一円周上に設けられ、前記床フランジ部材の前記係止孔に係止する係止部を有した排水接続部と、
を備えていることを特徴とする便器排水接続具。
【請求項２】
前記係止部は前記排水接続部から分離することができる請求項１記載の便器排水接続具。
【請求項３】
前記係止部は、前記排水接続部の第２流入口が開口している方向であって、前記スリット開口部と同一円周上の任意の箇所に取り付けることができる請求項１記載の便器排水接続具。
【発明の詳細な説明】
【技術分野】
【０００１】
本発明は便器排水接続具に関するものである。
【背景技術】
【０００２】
特許文献１の図１０に従来の便器排水接続具が開示されている。この便器排水接続具は、ソケット部、横引き管部、及び排水接続部を備えている。この便器排水接続具は、トイレルームをリフォームする際、トイレルームの床面で上下方向に開口した排水管の流入口の位置を変更することなく、便器本体の設置位置を変更することができる。
【０００３】
この便器排水接続具のソケット部は、第１流入口、第１流出口、及び第１連通路を有している。第１流入口は便器本体の排出口に接続される。ソケット部は第１流出口の開口方向を水平面上の所定角度の範囲内で回転して排水接続部に向けて床面に取り付けられる。第１連通路は第１流入口と第１流出口とを連通している。排水接続部は、第２流入口、第２流出口、及び第２連通路を有している。排水接続部は、第２連通路の両側において、第２流出口と同心円状に延びており、第２流出口の中心を対称にして設けられた一対の円弧状のスリット開口部を有している。これら各スリット開口部は床面から立ち上がったねじ部材が挿通する。排水接続部は、第２流入口を第１流出口に向け、かつ第２流出口を床フランジ部材の開口部に向けて、各スリット開口部に挿通したねじ部材にナットを締め付けて床面に取り付けられる。横引き管部はソケット部の第１流出口と排水接続部の第２流入口とを連通している。
【０００４】
この便器排水接続具は、排水接続部に一対の円弧状のスリット開口部を有しているため、円弧状の各スリット開口部の夫々にねじ部材を挿通させることができる範囲で、排水接続部を水平面上で回転させて床面に取り付けることができる。つまり、排水接続部を水平面上で回転させることによって、横引き管が排水接続部から延びる方向を変更し、ソケット部の床面への取付位置を変更することができる。このように、この便器排水接続具は便器本体の設置位置を変更することができる。
【先行技術文献】
【特許文献】
【０００５】
【特許文献１】特許３４６０６５６号公報
【発明の概要】
【発明が解決しようとする課題】
【０００６】
しかし、特許文献１の便器排水接続具は、排水接続部を水平面上で回転させることができる範囲が円弧状の各スリット開口部の夫々にねじ部材を挿通することができる範囲に限られる。つまり、ソケット部の床面への取付範囲が限られるため、変更することができる便器本体の取付位置が限られる。
【０００７】
本発明は、上記従来の実情に鑑みてなされたものであって、便器本体の取付位置を広い範囲で変更することができる便器排水接続具を提供することを解決すべき課題としている。
【課題を解決するための手段】
【０００８】
本発明の便器排水接続具は、
トイレルームの床面に既設されており、前記床面で上下方向に開口した排水管の流入口に接続した開口部と、
下方から挿通したねじ部材の頭部を係止して立設させることができ、前記開口部と同心円上であって、この開口部の中心を対称にした位置に貫設された一対の係止孔と
を有した床フランジ部材を利用して取り付けることができ、
便器本体の排出口と前記排水管の流入口とを連通する便器排水接続具であって、
前記床面に取り付けた状態で、前記便器本体の前記排出口に接続される第１流入口、横向きに開口する第１流出口、及び前記第１流入口と前記第１流出口とを連通する第１連通路を有したソケット部と、
前記ねじ部材によって前記床フランジ部材に取り付けた取付状態で、横向きに開口し、前記第１流出口に連通する第２流入口、前記床フランジ部材の前記開口部に向けて開口する第２流出口、前記第２流入口と前記第２流出口とを連通する第２連通路、前記第２流出口の周囲であって、前記第２流入口が開口している方向を除いて円弧状に延びて開口しており、前記ねじ部材が挿通するスリット開口部、及び前記第２流入口が開口している方向であって、前記スリット開口部と同一円周上に設けられ、前記床フランジ部材の前記係止孔に係止する係止部を有した排水接続部と、
を備えていることを特徴とする。
【０００９】
この便器排水接続具は、排水接続部が第２流出口の周囲であって、第２流入口が開口している方向を除いて円弧状に延びて開口するスリット開口部と、第２流入口が開口している方向であって、スリット開口部と同一円周上に設けられた係止部を有している。このため、排水接続部は、既設の床フランジ部材から立設された２本のねじ部材をスリット開口部に挿通して床フランジ部材に取り付けたり、係止部を床フランジ部材の係止孔に係止して、床フランジ部材から立設された１本のねじ部材をスリット開口部に挿通して床フランジ部材に取り付けたりすることができる。このように、この排水接続部は、既設の床フランジ部に取り付けることができる回転範囲を広くすることができる。このため、排水接続部から延びる横引き管の方向を広い範囲で変更することができ、ソケット部の床面への取付範囲を広くすることができる。
【００１０】
したがって、本発明の便器排水接続具は便器本体の取付位置を広い範囲で変更することができる。
【図面の簡単な説明】
【００１１】
【図１】実施例１及び２の便器排水接続具が便器本体の排出口と排水管の流入口との間に接続された状態を示す斜視図である。
【図２】実施例１の排水接続部を示す平面図である。
【図３】実施例１の排水接続部と床フランジ部材とを示す斜視図である。
【図４】実施例１の排水接続部の係止部を床フランジ部材の係止孔に挿通する状態を示す断面図である。
【図５】実施例１の排水接続部における接続状態を示す断面図である。
【図６】実施例１の便器接続具を係止部を利用して取り付けた状態を示す底面図である。
【図７】実施例１の便器接続具を係止部を利用して取り付けた他の状態を示す底面図である。
【図８】実施例１の便器接続具を係止部を利用せずに取り付けた状態を示す底面図である。
【図９】実施例１の便器接続具を係止部を利用せずに取り付けた他の状態を示す底面図である。
【図１０】実施例２の排水接続部を示す斜視図である。
【発明を実施するための形態】
【００１２】
本発明における好ましい実施の形態を説明する。
【００１３】
本発明の便器排水接続具の前記係止部は前記排水接続部から分離し得る。この場合、係止部を床フランジ部材の係止孔に係止して、排水接続部を取り付ける場合を除き、係止具を排水接続部から分離することによって、係止部が床フランジ部材に干渉することを防止することができる。
【００１４】
本発明の便器排水接続具の前記係止部は、前記排水接続部の第２流入口が開口している方向であって、前記スリット開口部と同一円周上の任意の箇所に取り付け得る。この場合、係止部の取付位置を変更することによって、係止孔に対して係止部が係止することができる排水接続部の回転範囲を広くすることができる。つまり、既設の床フランジ部材に取り付けることができる排水接続部の回転範囲を広くすることができる。このため、排水接続部から延びる横引き管の方向を広い範囲で変更することができるため、ソケット部の床面への取付範囲を広くすることができる。つまり、この便器排水接続具は便器本体の取付位置を広い範囲で変更することができる。
【００１５】
次に、本発明の便器排水接続具を具体化した実施例１及び２について、図面を参照しつつ説明する。
【００１６】
＜実施例１＞
実施例１の便器排水接続具は、図１に示すように、便器本体１の便鉢部２の下流側に連通した便器排水路３の下流端に開口した排出口と、トイレルームの床面で上下方向に開口した排水管４の上流端に開口した流入口４Ａとを連通する。便器排水接続具は、ソケット部１０、排水接続部３０、及び横引き管部５０を備えている。
【００１７】
ソケット部１０は、第１流入口１１、第１流出口１３、及び第１連通路を有している。第１流入口１１は、ソケット部１０を床面に固定ねじＢ１で固定した状態で、上下方向に開口しており、パッキンＰが外嵌めされている。パッキンＰは、第１流入口１１から内側に延びており、中心が円形状に開口している。この開口に便器排水路３の下流端部を挿入することによって、水密状態に第１流入口１１と便器排水路３の排出口とを接続することができる。ソケット部１０は、床面に固定された状態で、下端部から横方向に延びた接続部１５を有している。第１流出口１３は接続部１５の先端で横方向に開口している。第１連通路は第１流入口１１と第１流入口１３とを連通している。
【００１８】
排水接続部３０は、図１〜図５に示すように、第２流入口３１、第２流出口３３、及び第２連通路３５を有している。第２流入口３１は、後述する床フランジ部材７０に排水接続部３０を取り付けた取付状態で、横向きに開口する。第２流出口３３は、排水接続部３０の取付状態で、床フランジ部材７０の開口部７１に向けて開口する。第２連通路３５は第２流入口３１と第２流出口３３とを連通している。
【００１９】
排水接続部３０は、第２連通路３５を構成する湾曲した管部３７と、管部３７の下流端（第２流出口３３）の周囲から取付状態で横方向に拡がる取付部３９とを有している。排水接続部３０は取付部３９に円弧状に延びて開口するスリット開口部４１を有している。このスリット開口部４１は、第２流入口３１が開口している方向（図２において、左方向）を除いて、第２流出口３３の周囲に開口している。また、このスリット開口部４１は、取付状態で、床フランジ部材７０の後述する円弧状の係止孔７３に上下に重なるように開口している。つまり、スリット開口部４１と係止孔７３とは、取付状態で、同心円上に延びている。
【００２０】
排水接続部３０は、第２流入口３１が開口している方向の取付部３９の外周縁の中央（スリット開口部４１の両端の中央に位置する外周縁）から、外方向に突出した係止部４３を有している。係止部４３はスリット開口部４１と同一円周上に設けられている。係止部４３は、取付状態で、取付部３９の下面より下方に延びた垂下部４３Ａと、垂下部４３Ａの下端側面から外方向に延びた係止片部４３Ｂとを有している。係止部４３は、垂下部４３Ａの上面であって、取付部３９の外周縁部との境界部に、取付部３９の外周縁部から傾斜した傾斜面と、この傾斜面の下端から鋭角に交差し、立ち上がった垂直面とからなる切欠き溝４５を有している。係止部４３は、切欠き溝４５で折り曲げることによって、容易に取付部３９から分離することができる。
【００２１】
横引き管部５０は断面形状が略楕円形の筒体である。横引き管部５０は、図１に示すように、上流端の開口がソケット部１０の接続部１５を挿入して接着され、第１流入口１３に接続される。また、横引き管部５０は、図５に示すように、下流端部が排水接続部３０の第２流入口３１に挿入されて接着され、下流端の開口が第２流入口３１に接続される。このように、第１流入口１３と第２流入口３１とは横引き管部５０を介して連通している。
【００２２】
このような構成を有する便器排水接続具は、次に説明するように、排水接続部３０を水平面上で所望する角度に回転させて床面に取り付けることができる。
【００２３】
便器排水接続具は、図３〜図９に示すように、トイレルームの床面に既設された床フランジ部材７０に排水接続部３０を取り付ける。床フランジ部材７０は筒部７５とフランジ部７７とを有している。筒部７５は、床フランジ部材７０の開口部７１を形成し、トイレルームの床面で上下方向に開口した排水管４の上流端部の内側に挿入され、排水管４に接着されている。
【００２４】
フランジ部７７は、筒部７５が排水管４の上流端部の内側に挿入された状態で上端縁から外側に連続しており、固定ねじＢ２で床面に固定されている。フランジ部７７は、一方向（図３、図６〜図９において矢印Ｙ方向）の両端縁が直線状に形成されており、この一方向に直交する方向（図３、図６〜図９において矢印Ｘ方向）の両端縁が筒部７５と同心円の円弧状に形成されている。なお、図３、図６〜図９に示す、矢印Ｘ及び矢印Ｙは、フランジ部７７が固定されている床面に沿った方向を示し、各矢印Ｘはフランジ部７７の直線状に形成された両端部に沿った方向を示し、各矢印Ｙはその直角方向を示す。
【００２５】
フランジ部７７は円弧状の両端縁に沿って延びる円弧状の長孔で構成された一対の係止孔７３を有している。これら係止孔７３は、図４及び図５に示すように、床フランジ部材７０が固定ねじＢ２で床面に固定された状態で、下部の開口幅よりも上部の開口幅が狭く形成されている。また、これら各係止孔７３は、図３に示すように、一方の端部において、上部の開口幅が下部の開口幅と同じ幅に形成された挿入部７３Ａを有している。床フランジ部材７０は、固定ねじＢ２で床面に固定された状態で、係止孔７３の挿入部７３Ａからねじ部材９０の頭部９０Ａを挿通し、係止孔７３の開口幅の狭い上部にねじ部材９０の頭部９０Ａを係止してねじ部材９０を立設させたり、係止孔７３の挿入部７３Ａから、排水接続部３０の係止部４３を挿通し、係止孔７３の開口幅の狭い上部に係止部４３の係止片部４３Ｂを係止したりすることができる。
【００２６】
トイレルームをリフォームする際、リフォームする前にトイレルームに設置された便器本体を取り外すと、床フランジ部材７０は、通常、各係止孔７３から立設した一対のねじ部材９０が便器本体の左右方向（図３、図６〜図９において矢印Ｘ方向）に並ぶように床面に取り付けられている。
【００２７】
この床フランジ部材７０を利用して、便器排水接続具を床面に取り付ける場合、図４に示すように、第２流出口３３の外周縁に円環状のゴム製のガスケット９１を嵌めた排水接続部３０の係止部４３を床フランジ部材７０の一方の係止孔７３の挿入部７３Ａから挿通して係止し、他方の係止孔７３から立設したねじ部材９０を排水接続部３０のスリット開口部４１に挿入して、ねじ部材９０にナット９３を締め込んで排水接続部３０を床フランジ部材７０に取り付ける。この際、ガスケット９１が排水接続部３０と床フランジ部材７０との間で押し潰され、排水接続部３０の第２流出口３３と排水管４の流入口４Ａとは水密状に接続される。
【００２８】
そして、図５〜図７に示すように、上流端部にソケット部１０を接続した横引き管部５０の下流端部を排水接続部３０の第２流入口３１に挿入して接着し、ソケット部１０を床面に固定ねじＢ１で固定して、便器排水接続具は床面に取り付けられる。
【００２９】
このようにして床面に取り付けられた便器排水接続具は、図６及び図７に示すように、トイレルームをリフォームする前に設置された便器本体の前後方向（矢印Ｙ方向）に対して、９０度（矢印Ｘ方向）±約４５度の範囲に便器排水接続具の横引き管部５０が延びた状態に取り付けることができる。
【００３０】
また、図８及び図９に示すように、床フランジ部材７０の各係止孔７３から１本ずつ立設したねじ部材９０を排水接続部３０のスリット開口部４１に挿入して、ねじ部材９０にナット９３を締め込んで排水接続部３０を床フランジ部材７０に取り付ける。この場合、排水接続部３０の係止部４３を切欠き溝４５で折り曲げて取付部３９から分離する。これによって、係止部４３が床フランジ部材７０に干渉することを防止することができる。そして、上流端部にソケット部１０を接続した横引き管部５０の下流端部を排水接続部３０の第２流入口３１に挿入して接着し、ソケット部１０を床面に固定ボルトＢ１で固定して、便器排水接続具は床面に取り付けられる。なお、排水接続部３０を床フランジ部材７０に取り付ける前に、ソケット部１０、横引き管部５０、及び排水接続部３０を接続しておいてもよい。
【００３１】
このようにして床面に取り付けられた便器排水接続具は、トイレルームをリフォームする前に設置された便器本体の前後方向（図３、及び図６〜図９において矢印Ｙ方向）に対して、±約４５度の範囲に便器排水接続具の横引き管部５０が延びた状態に取り付けることができる。
【００３２】
このように、この排水接続部３０は水平面上で３６０度の範囲で回転させて床面に取り付けることができる。つまり、この排水接続部３０は既設の床フランジ部材７０に取り付けることができる回転範囲が広く、排水接続部３０から延びる横引き管部５０の方向を広い範囲で変更することができるため、ソケット部１０の床面への取付範囲を広くすることができる。
【００３３】
したがって、実施例１の便器排水接続具は便器本体の取付位置を広い範囲で変更することができる。
【００３４】
＜実施例２＞
実施例２の便器排水接続具は、図１０に示すように、排水接続部１３０の取付部３９の第２流入口３１が開口している方向の外周縁の形状が第１実施例と相違する。他の構成は、実施例１と同様であり、同一の構成は同一の符号を付し、詳細な説明を省略する。
【００３５】
この便器排水接続具の排水接続部１３０は、取付部３９の第２流入口３１が開口している方向の外周縁の端面に、外周縁に沿った溝部１３１が形成されている。係止部１４３は、取付部３９の溝部１３１に挿入することができる挿入片部１４３Ｃと、取付状態で、挿入片部１４３Ｃから下方に延びた垂下部１４３Ａと、垂下部１４３Ａの下端側面から外方向に延びた係止片部１４３Ｂとを有している。係止部１４３は、溝部１３１の任意の箇所に挿入片部１４３Ｃを挿入して、取付部３９に取り付けることができる。取付部３９に取り付けられた係止部１４３は、排水接続部１３０のスリット開口部４１と同一円周上に位置する。
【００３６】
この便器排水接続具は、係止部１４３を取付部３９に取り付けた状態で、係止部１４３を床フランジ部材７０の一方の係止孔７３の挿入部７３Ａから挿通して係止し、他方の係止孔７３から立設したねじ部材９０を排水接続部１３０のスリット開口部４１に挿入して、ねじ部材９０にナット９３を締め込んで排水接続部１３０を床フランジ部材７０に取り付けることができる。また、この便器排水接続具は、係止部１４３を取付部３９に取り付けなければ、係止部１４３が床フランジ部材７０に干渉することなく、床フランジ部材７０の各係止孔７３から１本ずつ立設したねじ部材９０を排水接続部１３０のスリット開口部４１に挿入して、ねじ部材９０にナット９３を締め込んで排水接続部１３０を床フランジ部材７０に取り付けることができる。
【００３７】
このように、この排水接続部１３０も水平面上で３６０度の範囲で回転させて床面に取り付けることができる。つまり、この排水接続部１３０は既設の床フランジ部材７０に取り付けることができる回転範囲が広く、排水接続部１３０から延びる横引き管部５０の方向を広い範囲で変更することができるため、ソケット部１０の床面への取付範囲を広くすることができる。
【００３８】
また、床フランジ部材７０の係止孔７３がフランジ部７７の円弧状の端縁に沿って延びた長孔でない場合でも、係止部１４３を取付部３９に取り付ける際、係止部１４３の挿入片部１４３Ｃを取付部３９の溝部１３１に挿入する個所を変更することによって、排水接続部１３０を水平面上で回転させて床面に取り付けることができる。このため、この排水接続部１３０は既設の床フランジ部材７０に取り付けることができる回転範囲が広く、排水接続部１３０から延びる横引き管部５０の方向を広い範囲で変更することができるため、ソケット部１０の床面への取付範囲を広くすることができる。
【００３９】
したがって、実施例２の便器排水接続具も便器本体の取付位置を広い範囲で変更することができる。
【００４０】
本発明は上記記述及び図面によって説明した実施例１及び２に限定されるものではなく、例えば次のような実施例も本発明の技術的範囲に含まれる。
（１）実施例１及び２では、便器排水接続具は横引き管部を備えていたが、横引き管部を備えず、ソケット部と排水接続部が直接的に接続されていてもよい。
（２）実施例１及び２では、床フランジ部材の係止孔がフランジ部の円弧状の端縁に沿って延びた長孔であったが、長孔でなくてもよい。
（３）実施例１及び２において、横引き管部を切断して、長さを変更することによって、ソケット部の床面の取付位置を変更してもよい。
【符号の説明】
【００４１】
１…便器本体
４…排水管
４Ａ…（排水管の）流入口
１０…ソケット部
１１…第１流入口
１３…第１流出口
３０…排水接続部
３１…第２流入口
３３…第２流出口
３５…第２連通路
４１…スリット開口部
４３、１４３…係止部
７０…床フランジ部材
７１…（床フランジ部材の）開口部
７３…係止孔
９０…ねじ部材
【図１】
2015187349.tif 000003
【図２】
2015187349.tif 000004
【図３】
2015187349.tif 000005
【図４】
2015187349.tif 000006
【図５】
2015187349.tif 000007
【図６】
2015187349.tif 000008
【図７】
2015187349.tif 000009
【図８】
2015187349.tif 000010
【図９】
2015187349.tif 000011
【図１０】
2015187349.tif 000012